(57)【要約】【課題】エラーが発生した場合に、エラー種別毎にＷｅｂページのリンク情報を簡単に登録することができる画像処理装置等を提供する。【解決手段】エラー発生時にエラー表示画面Ｄを表示するとともに、ＷｅｂブラウザによるＷｅｂページＤ１、Ｄ２と登録用操作部７２、８１を表示可能な表示手段１０１Ｂと、記憶手段１２０と、前記エラー表示画面に表示された登録用操作部７２、８１がユーザによって操作されることにより、表示手段に表示されているＷｅｂページへのリンク情報を、前記発生したエラーの種別と関連付けて記憶手段１２０に記憶させる登録手段１１１を備えている。【選択図】  図４
2012212996.tif 000002
【特許請求の範囲】
【請求項１】
エラー発生時にエラー表示画面を表示するとともに、ＷｅｂブラウザによるＷｅｂページと登録用操作部を表示可能な表示手段と、
記憶手段と、
前記表示手段に表示された登録用操作部がユーザによって操作されることにより、前記表示手段に表示されているＷｅｂページへのリンク情報を、前記発生したエラーの種別と関連付けて前記記憶手段に記憶させる登録手段と、
を備えたことを特徴とする画像処理装置。
【請求項２】
前記登録用操作部は、前記表示手段の表示画面におけるＷｅｂページ表示部分を除く位置に表示されている請求項１に記載の画像処理装置。
【請求項３】
前記表示手段に、前記ＷｅｂページとともにＷｅｂブラウザ操作画面が表示され、前記登録用操作部は、前記Ｗｅｂブラウザ操作画面に表示されている請求項１に記載の画像処理装置。
【請求項４】
前記記憶手段に、Ｗｅｂページへのリンク情報が前記発生したエラーの種別と関連付けて記憶されている場合は、前記記憶されているＷｅｂページへリンクするための操作部を、前記エラー表示画面に表示するものとなされている請求項１〜３のいずれかに記載の画像処理装置。
【請求項５】
前記記憶手段に、Ｗｅｂページへのリンク情報が前記発生したエラーの種別と関連付けて記憶されていない場合は、検索サイトのＷｅｂページへリンクするための操作部を、前記エラー表示画面に表示するものとなされている請求項１〜４のいずれかに記載の画像処理装置。
【請求項６】
エラー発生時にエラー表示画面を表示手段に表示するとともに、ＷｅｂブラウザによるＷｅｂページと登録用操作部を表示手段に表示する表示ステップと、
前記表示された登録用操作部がユーザによって操作されることにより、前記表示手段に表示されているＷｅｂページへのリンク情報を、前記発生したエラーの種別と関連付けて記憶手段に記憶させる登録ステップと、
を備えたことを特徴とする画像処理装置におけるエラー解除用情報の登録方法。
【請求項７】
エラー発生時にエラー表示画面を表示手段に表示するとともに、ＷｅｂブラウザによるＷｅｂページと登録用操作部を表示手段に表示する表示ステップと、
前記表示された登録用操作部がユーザによって操作されることにより、前記表示手段に表示されているＷｅｂページへのリンク情報を、前記発生したエラーの種別と関連付けて記憶手段に記憶させる登録ステップと、
を画像処理装置のコンピュータに実行させるためのエラー解除用情報の登録プログラム。
【発明の詳細な説明】
【技術分野】
【０００１】
この発明は、Ｗｅｂブラウザを搭載した多機能デジタル画像形成装置であるＭＦＰ（Multi Function Peripherals) 等の画像処理装置、同装置におけるエラー解除用情報の登録方法及びエラー解除用情報の登録プログラムに関する。
【背景技術】
【０００２】
例えば前記ＭＦＰ等の画像処理装置の使用中に、ユーザによる復帰操作が必要なエラーが発生した場合、復帰操作を行うために「ヘルプ」機能やマニュアルを参照するのが普通である。しかし、それでも分からない場合には、情報量の多さの面からインターネット上の情報として、Ｗｅｂブラウザを使って復帰操作が記載されたＷｅｂページを検索することが多い。
【０００３】
また、従来、パーソナルコンピュータ（ＰＣという）上のプリンタドライバにおいて、デバイスに関する情報が記録されたホームページのアドレスを記憶する手段と、デバイスの状態を取得する手段を備え、取得された情報に応じて、ＰＣの表示画面上にホームページを表示させるアクセス表示制御手段を設けた技術が提案されている（例えば、特許文献１参照）。
【先行技術文献】
【特許文献】
【０００４】
【特許文献１】特開２００３−１０８３５５号公報
【発明の概要】
【発明が解決しようとする課題】
【０００５】
しかし、従来技術では、エラー種別毎に異なるＷｅｂページを表示させるためには、エラー種別毎に各Ｗｅｂページへのリンク情報であるＵＲＬ（Uniform Resource Locator）を予め登録しておく必要があった。そのため、登録すべきＵＲＬを準備するためには、発生する可能性のあるエラー種別を事前に把握し、それぞれのエラー毎に必要なＵＲＬを検索するという手順を踏む必要があり、これはかなり煩わしいものであった。
【０００６】
また、エラ−が発生していない状態でＵＲＬを登録しなければならないので、エラー発生時の細かな状況を用いて検索することができず、的確なＵＲＬを見つけ出すことができないし、さらに、登録しようとしているＵＲＬが、エラーを解除するために必要な情報を含んでいるか否かを確認できないという課題がある。
【０００７】
また、エラーが発生している状態で検索するためには、ユーザ端末であるＰＣのＷｅｂブラウザを用いて検索し、見つけ出したＵＲＬをメモ等しておき、エラー修復後に改めて該ＵＲＬを登録する必要があった。
【０００８】
また、先行技術においては、ＰＣ上のプリンタドライバにおいて、ＰＣの表示画面上にドライバ情報が記載されたホームページを表示させるアクセス制御手段を設けただけであり、ユーザがホームページを登録することに関しての記載もないことから、これをＭＦＰ等の画像処理装置に適用してエラー種別毎に異なるＵＲＬを登録し表示させようとしても、従来と同じように、手間がかかるといった問題は避けられない。
【０００９】
この発明は、上記実情に鑑みてなされたものであり、ユーザによる復帰操作が必要なエラーが発生した場合に、エラー種別毎にＷｅｂページのリンク情報を簡単に登録することができる画像処理装置及び同装置におけるエラー画面の登録方法を提供し、さらには画像処理装置のコンピュータに前記エラー解除用情報の登録方法を実行させるためのエラー解除用情報の登録プログラムを提供することを課題としている。
【課題を解決するための手段】
【００１０】
上記課題は、以下の手段によって解決される。
（１）ユーザによる復帰操作が必要なエラー発生時にエラー表示画面を表示するとともに、ＷｅｂブラウザによるＷｅｂページと登録用操作部を表示可能な表示手段と、記憶手段と、前記表示手段に表示された登録用操作部がユーザによって操作されることにより、前記表示手段に表示されているＷｅｂページへのリンク情報を、前記発生したエラーの種別と関連付けて前記記憶手段に記憶させる登録手段と、を備えたことを特徴とする画像処理装置。
（２）前記登録用操作部は、前記表示手段の表示画面におけるＷｅｂページ表示部分を除く位置に表示されている前項１に記載の画像処理装置。
（３）前記表示手段に、前記ＷｅｂページとともにＷｅｂブラウザ操作画面が表示され、前記登録用操作部は、前記Ｗｅｂブラウザ操作画面に表示されている前項１に記載の画像処理装置。
（４）前記記憶手段に、Ｗｅｂページへのリンク情報が前記発生したエラーの種別と関連付けて記憶されている場合は、前記記憶されているＷｅｂページへリンクするための操作部を、前記エラー表示画面に表示するものとなされている前項１〜３のいずれかに記載の画像処理装置。
（５）前記記憶手段に、Ｗｅｂページへのリンク情報が前記発生したエラーの種別と関連付けて記憶されていない場合は、検索サイトのＷｅｂページへリンクするための操作部を、前記エラー表示画面に表示するものとなされている前項１〜４のいずれかに記載の画像処理装置。
（６）ユーザによる復帰操作が必要なエラー発生時にエラー表示画面を表示手段に表示するとともに、ＷｅｂブラウザによるＷｅｂページと登録用操作部を表示手段に表示する表示ステップと、前記表示された登録用操作部がユーザによって操作されることにより、前記表示手段に表示されているＷｅｂページへのリンク情報を、前記発生したエラーの種別と関連付けて記憶手段に記憶させる登録ステップと、を備えたことを特徴とする画像処理装置におけるエラー解除用情報の登録方法。
（７）ユーザによる復帰操作が必要なエラー発生時にエラー表示画面を表示手段に表示するとともに、ＷｅｂブラウザによるＷｅｂページと登録用操作部を表示手段に表示する表示ステップと、前記表示された登録用操作部がユーザによって操作されることにより、前記表示手段に表示されているＷｅｂページへのリンク情報を、前記発生したエラーの種別と関連付けて記憶手段に記憶させる登録ステップと、を画像処理装置のコンピュータに実行させるためのエラー解除用情報の登録プログラム。
【発明の効果】
【００１１】
前項（１）に記載の発明によれば、ユーザによる復帰操作が必要なエラーが発生した時に、エラー表示画面が表示手段に表示されるとともに、ＷｅｂブラウザによるＷｅｂページと登録用操作部が表示手段に表示される。この登録用操作部がユーザによって操作されることにより、表示手段に表示されている前記Ｗｅｂページへのリンク情報が、発生したエラーの種別と関連付けて記憶手段に記憶されるから、エラー発生時に、エラー種別毎にＷｅｂページへのリンク情報を簡単に登録することができ、復帰処理の迅速化を図ることが可能となる。
【００１２】
前項（２）に記載の発明によれば、表示手段の表示画面におけるＷｅｂページ表示部分を除く位置に表示されている登録用操作部が操作されることにより、Ｗｅｂページへのリンク情報が、発生したエラーの種別と関連付けて記憶手段に記憶される。
【００１３】
前項（３）に記載の発明によれば、表示手段のＷｅｂブラウザ操作画面に表示されている登録用操作部が操作されることにより、Ｗｅｂページへのリンク情報が、発生したエラーの種別と関連付けて記憶手段に記憶される。
【００１４】
前項（４）に記載の発明によれば、記憶手段に、Ｗｅｂページへのリンク情報が発生したエラーの種別と関連付けて記憶されている場合は、Ｗｅｂページへリンクするための操作部がエラー表示画面に表示されるから、ユーザがこの操作部を操作することにより、既に登録されているＷｅｂページを表示手段に容易に表示させることができ、エラー復帰処理のさらなる迅速化を図ることが可能となる。
【００１５】
前項（５）に記載の発明によれば、記憶手段に、Ｗｅｂページへのリンク情報が発生したエラーの種別と関連付けて記憶されていない場合は、検索サイトのＷｅｂページへリンクするための操作部がエラー表示画面に表示されるから、ユーザがこの操作部を操作することにより、検索サイトのＷｅｂページを表示手段に容易に表示させることができ、エラー復帰処理のさらなる迅速化を図ることが可能となる。
【００１６】
前項（６）に記載の発明によれば、ユーザによる復帰操作が必要なエラー発生時に、表示手段にＷｅｂページとともにに表示されている登録用操作部をユーザが操作することにより、エラー種別毎にＷｅｂページへのリンク情報を簡単に登録することができ、復帰処理の迅速化を図ることが可能となる。
【００１７】
前項（７）に記載の発明によれば、ユーザによる復帰操作が必要なエラー発生時に、表示手段にＷｅｂページとともにに表示されている登録用操作部をユーザが操作することにより、エラー種別毎にＷｅｂページへのリンク情報を簡単に登録することができる処理を、画像処理装置のコンピュータに実行させることができる。
【図面の簡単な説明】
【００１８】
【図１】この発明の一実施形態に係る画像形成装置を備えたネットワークシステムを示す概略構成図である。
【図２】画像形成装置としてのＭＦＰの電気的構成を示すブロック図である。
【図３】ＭＦＰのエラー種別とＷｅｂページへのリンク情報が関連付けられた記憶テーブルを示す図である。
【図４】ＭＦＰで発生したエラーに対応するＷｅｂページの表示および登録処理を示すフローチャートである。
【図５】エラー種別と関連付けられたＷｅｂページが登録されている場合に、表示部に表示されるエラー表示画面の例を示す図である。
【図６】エラー種別と関連付けられたＷｅｂページが登録されていない場合に、表示部に表示されるエラー表示画面の例を示す図である。
【図７】エラー表示画面からＷｅｂページの表示画面に遷移した状態を示す図である。
【図８】Ｗｅｂブラウザの操作用画面に登録用操作部が表示された状態を示す図である。
【図９】Ｗｅｂブラウザの操作画面に表示されたに登録用操作部が操作されたときのブックマーク登録画面の表示例を示す図である。
【図１０】ブックマーク登録画面で「エラー関連情報として登録」を選択した場合に、関連付けるエラー種別を選択するための画面の表示例を示す図である。
【発明を実施するための形態】
【００１９】
以下、この発明の実施形態を図面に基づいて説明する。
【００２０】
図１は、この発明の一実施形態に係る画像処理装置を備えたネットワークシステムの概略構成図である。
【００２１】
図１において、このネットワークシステムは、ユーザが使用する画像処理装置としての前述した多機能デジタル画像形成装置であるＭＦＰ１００と、パーソナルコンピュータからなるユーザ端末としてのＰＣ２０と、ＭＦＰ１００やＰＣ２０にＷｅｂページを提供可能なＷｅｂサーバ３０とを備えており、これらＭＦＰ１００、ＰＣ２０、およびサーバ３０は、ＬＡＮ等のネットワーク４を介して接続されている。
【００２２】
図２は、前記ＭＦＰ１００の電気的構成を示すブロック図である。
【００２３】
図２おいて、このＭＦＰ１００は、制御部１１０、操作パネル部１０１、スキャナ部１０２、プリンタ部１０３等を備えている。
【００２４】
制御部１１０は、ＣＰＵ１１１と、通信インタ−フェース（通信Ｉ／Ｆ）部１１２と、ＲＯＭ１１３と、ＲＡＭ１１４と、記憶部１２０とを備えている。制御部１１０には、前記操作パネル部１０１、スキャナ部１０２およびプリンタ部１０３等が接続されている。
【００２５】
前記ＣＰＵ１１１は、ＭＦＰ１００の全体の動作を統括制御する他、特にこの実施形態では次のような制御を行う。
【００２６】
即ち、ユーザによる復帰操作の必要なエラーがＭＦＰ１００に発生したことやエラー種別を検出する他に、該エラーの種別と関連付けられて前記記憶部１２０にＷｅｂページへのリンク情報である例えばＵＲＬが登録されているか否かを判断し、登録されていれば、そのＷｅｂページへリンクするための操作キーを、後述する表示部１０１Ｂにおけるエラー表示画面に表示させ、登録されていなければ、検索サイトのＷｅｂページへリンクするための操作用キーをエラー表示画面に表示させる。さらに、ＣＰＵ１１１は、エラー発生時にエラー種別と関連付けてＷｅｂページを登録するための操作キーを表示部１０１Ｂに表示させるが、これらの制御については後述する。
【００２７】
前記通信Ｉ／Ｆ部１１２は、ネットワーク４上の外部機器との間でデータの授受を行うための通信手段である。
【００２８】
前記ＲＯＭ１１３は、ＣＰＵ１１１の動作プログラム等を格納しているメモリである。
【００２９】
前記ＲＡＭ１１４は、ＣＰＵ１１１が前記動作プログラムに従って動作する際の作業領域を提供するメモリである。
【００３０】
前記記憶部１２０は、各種アプリケーションや画像データ等を記憶するハードディスク装置（ＨＤＤ）１１５と、ＥＥＰＲＯＭ（Electrically Erasable Programmable Read-Only Memory ) １１６とを備えている。
【００３１】
前記ハードディスク装置１１５には、Ｗｅｂページを閲覧するためのソフトウェアであるＷｅｂブラウザが保存されており、このＷｅｂブラウザを介して、Ｗｅｂサーバ３０から提供されるＷｅｂページを、後述する操作パネル部１０１の表示部１０１Ｂに表示可能となされている。
【００３２】
また、記憶部１２０のＥＥＰＲＯＭ１１６には、ＭＦＰ１００の使用中に発生する、例えば「紙詰まり」等のようにユーザの復帰操作が必要なエラーの種別と、それに関連付けられたＷｅｂぺージへのリンク情報であるＵＲＬとが、図３のようにテーブルとして記憶されている。
【００３３】
なお、図３のテーブルでは、エラー種別として、例えば「ペーパーエンプティ」、「両面用紙不適合」、「原稿サイズ検出エラー」、「プリント用紙不適合」、「ＡＭＳ倍率不適合」があり、それらのエラーのうち「両面用紙不適合」と「ＡＭＳ倍率不適合」については関連ＷｅｂページのＵＲＬが未登録となっており、それ以外のエラーには、それぞれに対応した関連ＷｅｂページのＵＲＬが登録されている。
【００３４】
前記操作パネル部１１６は、例えばスタートキーや入力キー等を有するキー部１０１Ａと、例えばＬＣＤ等からなり各種データやメッセーッジ等を表示する表示部１０１Ｂとを備えている。
【００３５】
前記スキャナ部１０２は、原稿画像を読み取って画像データを出力するものである。
【００３６】
前記プリンタ部１０３は、前記スキャナ部１０２で読み取られた原稿の画像データや、ＰＣ２０等から送信された文書データ等を印刷するものである。
【００３７】
図４は、ＭＦＰ１００で発生したエラーに対応するＷｅｂページの表示および登録処理を示すフローチャートである。この処理は、ＣＰＵ１１１がＲＯＭ１１３等の記録媒体に記録されている動作プログラムに従って動作することにより実行される。
【００３８】
図４において、ステップＳ１では、使用中のＭＦＰ１００にエラー（例えば「紙詰まり」）が発生したか否かを判断し、エラーが発生していなければ（ステップＳ１でＮＯ）、そのまま処理を終了する。エラーが発生したのであれば（ステップＳ１でＹＥＳ）、ステップＳ２で、図５や図６に示すように操作パネル部１０１の表示部１０１Ｂにエラ−表示画面Ｄを表示させる。
【００３９】
次に、ステップＳ３では、そのエラーの種別と関連付けられたＷｅｂページのＵＲＬが、図３のテーブルに登録されているか否かを判断し、登録されていれば（ステップＳ３でＹＥＳ）、ステップＳ４で、図５に示すように、前記登録されているＷｅｂページへリンクするための操作キー５１を、エラー表示画面Ｄ内に表示する。
【００４０】
つまり、発生したエラーの種別に関連付けされたＷｅｂページのＵＲＬが登録されている場合には、図５に示すように、エラー表示画面Ｄに前記Ｗｅｂページへ遷移可能な「関連Ｗｅｂページを表示する」と記述された操作キー５１を表示する。
【００４１】
ステップＳ５では、前記操作キー５１が押下されたか否かを判断し、押下されなければ（ステップＳ５でＮＯ）、処理を終了する。押下されれば（ステップＳ５でＹＥＳ）、ステップＳ６でＷｅｂサーバ３０にアクセスし、対応するＷｅｂページを表示部１０１Ｂに表示したのち、終了する。
【００４２】
このように、ユーザによる復帰操作が必要なエラーが発生した時に、該エラーの種別と関連付けて記憶部１２０にＵＲＬが記憶されているＷｅｂページへリンクするための操作キー５１を、前記表示部１０１Ｂにおけるエラー表示画面Ｄに表示させるので、前記エラーが発生した場合に、復帰操作について記載されたＷｅｂページを直ぐに表示することができ、復帰処理の迅速化を図ることが可能となる。
【００４３】
一方、ステップＳ３において、エラーと関連付けられたＷｅｂページのＵＲＬが登録されていなければ（ステップＳ３でＮＯ）、ステップＳ７では、図６に示すように、所定の検索サイトへリンクするための「Ｗｅｂページを検索」と記述された操作キー６１を表示し、ステップＳ８に進む。
【００４４】
ステップＳ８では、前記操作キー６１が押下されたか否かを判断し、押下されなければ（ステップＳ８でＮＯ）、そのまま終了する。押下されれば（ステップＳ８でＹＥＳ）、ステップＳ９では、リンク先のＷｅｂ検索サイトを表示部１０１Ｂに表示するための表示処理を行ってから、ステップＳ１０に進む。この処理により、例えば図７及び図８に示すように、表示部１０１ＢにはＷｅｂブラウザにより検索サイトのＷｅｂページＤ１またはＤ２が表示される。なお、このＷｅｂページＤ１またはＤ２は、ユーザの検索により種々のＷｅｂページに代えられるものである。
【００４５】
ステップＳ１０では、表示中のＷｅｂページの登録要求があるか否かを判断する。この判断については後述する。登録要求がなければ（ステップＳ１０でＮＯ）、そのまま終了する。登録要求があれば（ステップＳ１０でＹＥＳ）、ステップＳ１１で、表示中のＷｅｂページのＵＲＬをエラー種別と関連付けてＥＥＰＲＯＭ１１６に記憶させたのち、処理を終了する。
【００４６】
前記ステップＳ１０におけるＷｅｂページの登録要求の有無の判断は、Ｗｅｂページが表示されている表示部１０１Ｂの画面内に表示された登録キーが押されたか否かにより判断される。
【００４７】
即ち、所定の検索サイトへリンクするための図６に示された操作キー６１が押下されると、図７及び図８に示すように、表示画面の一部に、Ｗｅｂブラウザにより検索サイトのＷｅｂページＤ１またはＤ２が表示される。このＷｅｂページＤ１またはＤ２の上部には、Ｗｅｂブラウザ操作画面Ｄ１１またはＤ２１が表示されている。
【００４８】
さらに、図７に示すように、表示画面のうちＷｅｂページＤ１を除く左端部の表示部分に、「関連Ｗｅｂページ登録」キー７２が表示されている。
【００４９】
そして、Ｗｅｂブラウザ操作画面Ｄ１１においてユーザがＷｅｂブラウザを操作し、検索サイトを検索してエラーを解消する情報が記載されたＷｅｂページを表示させた状態で、ユーザが前記「関連Ｗｅｂページ登録」キー７２を押すと、登録要求があったものと判断され、そのときに表示されているＷｅｂページのＵＲＬが、エラー種別と関連付けられて記憶されるものとなされている。
【００５０】
なお、図７に示す例では、「関連Ｗｅｂページ登録」キー７２と併設して「エラー画面表示」キー７１が表示されており、「エラー画面表示」キー７１を押下することにより、図５または図６のエラー表示画面Ｄに戻ることができるものとなされている。
【００５１】
一方、図８ではＷｅｂページを登録するための登録キーが、Ｗｅｂブラウザ操作画面Ｄ２１に表示されている。
【００５２】
即ち、Ｗｅｂブラウザ操作画面Ｄ２１には、ブックマーク８０として「追加」キー８１が表示されている。ユーザがこの「追加」キー８１を押すと、表示部１０１Ｂには、図９のブックマーク登録画面Ｄ３が表示される。このブックマーク登録画面Ｄ３では、ユーザが「通常登録」キー９０か、あるいは「エラー関連情報として登録」キー９１を選択することができるようになっている。
【００５３】
前記「エラー関連情報として登録」キー９１を選択した場合には、図１０に示すようにエラー種別選択画面Ｄ４が表示される。このエラー種別選択画面Ｄ４には、エラー種別（例えば、「ペーパーエンプティ」、「両面用紙不適合」、「原稿サイズ検出エラー」、「プリント用紙不適合」、「ＡＭＳ倍率不適合」）が表示されている。
【００５４】
ユーザがこれらのうちからエラー種別を選択すれば、そのエラー種別に関連付けられてＷｅｂページのＵＲＬが登録される。
【００５５】
なお、エラー種別との関連付は、ユーザの選択によることなく、ＭＦＰ１００のＣＰＵ１１１が自動で行っても良い。
【００５６】
このように、ユーザによる復帰操作が必要なエラ−種別と関連付けてＷｅｂページを登録するために、「関連Ｗｅｂページ登録」キー７２や「追加」キー８１をエラー発生時の画面に表示させたので、エラー発生時に、エラー種別毎にＷｅｂページのＵＲＬを簡単に登録することができ、復帰処理を速やかに行える。
【符号の説明】
【００５７】
５１      登録されたＷｅｂページへリンクするための操作部
６１      検索サイトへリンクするための操作部
７２      登録用操作部
８１      登録用操作部
１００    ＭＦＰ
１０１Ｂ  表示部
１１０    制御部
１１１    ＣＰＵ
１２０    記憶部
【図１】
2012212996.tif 000003
【図２】
2012212996.tif 000004
【図３】
2012212996.tif 000005
【図４】
2012212996.tif 000006
【図５】
2012212996.tif 000007
【図６】
2012212996.tif 000008
【図７】
2012212996.tif 000009
【図８】
2012212996.tif 000010
【図９】
2012212996.tif 000011
【図１０】
2012212996.tif 000012